(57)【要約】【課題】本発明は、置き台の容積や重量を増加させず、容易に低音を増強して放射できるスピーカを備えた置き台を提供する。【解決手段】本発明のスピーカを備えた置き台１は、台座１０と、前記台座を支持するための中空形状の支持部材２０と、前記支持部材２０に取り付けられたスピーカユニット２６と、を備え、前記支持部材２０を音響管、又は音響容積として用いるものである。【選択図】　　　図１
2004048168.tif 000002
【特許請求の範囲】
【請求項１】
台座と、前記台座を支持するための中空形状の支持部材と、前記支持部材に取り付けられたスピーカユニットと、を備え、
前記支持部材を音響管として用いることを特徴とするスピーカを備えた置き台。
【請求項２】
前記支持部材を音響管と、該音響管と連動する音響容積として用いることを特徴とする請求項１に記載のスピーカを備えた置き台。
【請求項３】
台座と、前記台座を支持するための中空形状の支持部材と、前記支持部材に取り付けられたスピーカユニットと、を備え、
前記支持部材を音響容積として用いることを特徴とするスピーカを備えた置き台。
【請求項４】
前記スピーカユニットは、動電型スピーカであることを特徴とする請求項１〜３のいずれかに記載のスピーカを備えた置き台。
【請求項５】
前記スピーカユニットは、圧電型スピーカであることを特徴とする請求項１〜３のいずれかに記載のスピーカを備えた置き台。
【請求項６】
前記支持部材は、共鳴による音響を放射するための音響容積部と、前記音響容積部により放射された音響を放音するための開口ポートと、を備えていることを特徴とする請求項１に記載のスピーカを備えた置き台。
【請求項７】
前記支持部材は、パイプ共鳴を起こさせる音響管と、音響を放音するための開口ポートと、を備えていることを特徴とする請求項１に記載のスピーカを備えた置き台。
【請求項８】
前記支持部材は、共振を起こさせるための音響容積と音響管と、音響を放音するための開口ポートと、を備えていることを特徴とする請求項２に記載のスピーカを備えた置き台。
【請求項９】
前記支持部材は、スピーカユニットの振動質量と共振を起こさせるための音響容積を備えていることを特徴とする請求項３に記載のスピーカを備えた置き台。
【請求項１０】
前記支持部材は、前記スピーカユニットにより駆動されてヘルムホルツ共振又はパイプ共鳴またはスピーカと音響容積との共振として作用することを特徴とする請求項６、８、９のいずれかに記載のスピーカを備えた置き台。
【請求項１１】
前記中空形状の支持部材が、パイプ共鳴を起こす基本周波数を低域再生限界に設定し、前記支持部材に備えていることを特徴とする請求項６、７のいずれかに記載のスピーカを備えた置き台。
【請求項１２】
前記支持部材の内部の音響質量と、前記音響容積の音響コンプライアンスとがヘルムホルツの共振を起こす周波数を低域再生限界に設定し、前記支持部材に備えていることを特徴とする請求項６、８のいずれかに記載のスピーカを備えた置き台。
【請求項１３】
前記支持部材の内部を音響容積とし、その音響容積の音響コンプライアンスとスピーカの振動質量とが共振を起こす周波数を低域再生限界に設定し、前記支持部材に備えていることを特徴とする請求項９に記載のスピーカを備えた置き台。
【請求項１４】
前記スピーカユニットと開口ポート間の距離は、前記ヘルムホルツ共振又はパイプ共鳴として作用するのに必要な共振周波数に合わせて設定していることを特徴とする請求項６に記載のスピーカを備えた置き台。
【請求項１５】
前記スピーカを備えた置き台の下部に移動するためのキャスターを備えていることを特徴とする請求項１〜１４のいずれかに記載の設置台。
【発明の詳細な説明】
【０００１】
【発明の属する技術分野】
本発明は、オーディオ信号を出力する装置等の装置を載置するためのスピーカを備えた置き台に関する。
【０００２】
【従来の技術】
従来の置き台は、台座と台座を支えるための支持部材とを含んで構成される設置台が存在する。また、この支持部材は、断面形状が中空形状であるものが存在する。
【０００３】
また、低音を増強するためのスピーカとして、スピーカ背面からの音を利用して低域限界域を補強して低域再生限界を伸ばすバスレフ型のスピーカが存在する。このバスレフ型スピーカは、スピーカが備えられるボックスに筒状のポートを設け、このポートの長さとボックス容積から特定の周波数で共振するように設定されている。
【０００４】
【発明が解決しようとする課題】
しかし、従来の置き台においては、単なる多目的に使用される置き台であって、例えば、映像機器等のオーディオ信号を出力する装置等を載置しても置き台としての機能しかもっていなかった。
【０００５】
また、従来の低音を増強するためのスピーカに関し、音響容積を大きく取れない構造である場合にはどうすることもできなかった。
【０００６】
また、置き台にスピーカ等の出力装置を備えると、置き台の容積や重量が著しく増加するという問題が生じる。また、容積や重量を増加させないために容易な構造の出力装置を備えても十分な低音再生を行うことができないという問題が生じる。
【０００７】
本発明が解決しようとする課題には、上記した問題が一例として挙げられる。
【０００８】
そこで、本発明は、置き台の容積や重量を増加させず、容易に低音を増強して放射できるスピーカを備えた置き台を提供することを目的とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、台座（１０）と、前記台座を支持するための中空形状の支持部材（２０）と、前記支持部材に取り付けられたスピーカユニット（２６）と、を備え、前記支持部材を音響管として用いることを特徴とする。
【００１１】
請求項３に記載の発明は、台座（１０）と、前記台座を支持するための中空形状の支持部材と、前記支持部材に取り付けられたスピーカユニット（２６）と、を備え、前記支持部材を音響容積として用いることを特徴とする。
【００１２】
【発明の実施の形態】
以下、図１〜図９を参照して、本発明によるスピーカを備えた置き台の各実施形態について説明する。
【００１３】
―第１の実施形態―
図１は第１の実施形態の映像機器設置台を示す外観図、図２は図１の右側面図、図３は図２の映像機器を除くＡ−Ａ断面図である。なお、説明を容易にするために、図１において、正面を前方、背面を後方として説明する。
【００１４】
図１に示すように、第１の実施形態のスピーカを備えた置き台としての映像機器設置台１は、テレビ等の映像機器５等を載置するための矩形状の台座１０と、この台座１０の前方及び後方を支持するための支持部材２０、２５と、が備えられる。支持部材２０、２５は中空管形状である。また、支持部材２０、２５は、台座１０の下面、且つ、前後方向に所定の間隔をおいて、平行してあるいは非平行で備えられる。また、支持部材２０、２５は、両端面が地面に接するように所定位置で曲折して形成される。
【００１５】
また、台座１０の前方方向に備えられる支持部材２０の両端部近傍の前面方向に向かって、または背面方向に向かって、音響を放出するための開口ポート２１、２１が備えられる。また、この実施形態ではスピーカユニットに楕円形状を選んであるため、この支持部材２０の背面には、楕円状の孔２２が備えられる。この孔２２は、孔２２から両開口ポート２１、２１までの距離が所定距離（例えば同一距離）となるように設けられている。また、この孔２２には、所定の容積からなる音響容積部２３を有する接続部材２４の一方の端部が接続されている。また、他方の端部はスピーカユニット２６と接続される。また、スピーカユニット２６は、音響放出方向に接続部材２４が対向するように設けられる。なお、接続部材２４は、音響容積部２３の音響容積と支持部材２０による音響管が連動して働くようにするために、独立して形成され支持部材２０と接続されてもよいし、支持部材２０と一体形成されていてもよい。なお、支持部材２０は音響容積として機能するようにしてもよい。
【００１６】
スピーカユニット２６は、例えば、スピーカを他の部材に取り付けるための取付部材２７と、音響を放出するための振動板を含むスピーカ本体２８と、このスピーカ本体２８にオーディオ信号を入力するための入力端子２９と、を含んで構成される。また、スピーカ本体２８と入力端子２９とは電気的に接続される。また、スピーカ本体２８と取付部材２７とは、一体的に形成されている。なお、このスピーカユニット２６は、この取付部材２７により接続部材２４に取り付けられる。
【００１７】
また、スピーカユニット２６は、動電型スピーカや圧電型スピーカが使用される。動電型スピーカを用いることにより、周波数帯域やダイナミックレンジの広い音を出力することができる。また、圧電型スピーカを用いることにより、スピーカの占める体積は著しく小さくなるため、設置台に設置する作業が容易になる。また、設置台全体の重量を著しく軽減できる。
【００１８】
また、このスピーカ本体２８の入力端子２９には、例えば、台座１０に載置されるテレビ等の映像機器５等の出力信号と電気的に接続される。なお、この入力端子２９は、オーディオ信号の出力信号を入力するものとして機能するため、必ずしも映像機器５等と接続されるものではなく、他の音響機器と接続されても構わない。
【００１９】
また、開口ポート２１、２１は、支持部材２０において、支持部材２０の内部（音響管内）の音響質量と音響容積部分として機能する音響容積部２３との音響コンプライアンスとがヘルムホルツ共振を起こす周波数を必要な低音再生限界に設定される位置に設けられる。また、映像機器設置台１をパイプ共鳴として利用する場合は、開口ポート２１、２１は、支持部材２０において、スピーカユニット２６と開口ポート２１、２１との距離を必要な共鳴周波数に合わせた位置に設けられる。
【００２０】
次に、本実施形態の映像機器設置台が音響機器として機能する場合の動作について説明する。
【００２１】
スピーカユニット２６の入力端子２９に映像機器５等からオーディオ信号が供給されると、スピーカユニット２６から再生音が放出される。放出された再生音は、音響容積部２３及び支持部材２０の内部の長さによって共鳴を起こし、その共鳴された再生音を伝達しながら開口ポート２１、２１に伝達され、その開口ポート２１、２１から再生音が外部へ放出される。
【００２２】
以上のように、本実施形態の映像機器設置台１は、多目的置き台の構造体として一般的に使用されている中空形状の支持部材２０、２５を含んで構成されるとともに、一方の支持部材２０にスピーカユニット２６を取り付け、その支持部材２０を音響管として用いる。また、この支持部材２０（音響容積部２３も含む。）をオーディオ信号に対するヘルムホルツ共振あるいはパイプ共鳴として作用せしめるようにする。あるいは支持部材２０を音響容積として用いる。
【００２３】
このため、映像機器設置台１は、小型で、十分な低域再生機能を備えたスピーカとして機能する。具体的には、支持部材を音響管あるいは音響容積として利用できるので、置き台の容積や重量を増加させることもない。また、ヘルムホルツ共振として支持部材等を作用せしめるようにしたため、特に低域の能率が増強され、音質も著しく向上させることができる。
【００２４】
―第２の実施形態―
図４は第２の実施形態の映像機器設置台を示す外観図、図５は図４の右側面図、図６は図５の映像機器を除くＡ−Ａ断面図である。なお、説明を容易にするために、図４において、正面を前方、背面を後方として説明する。なお、図１と重複する部分については同一符号を付し、その説明は省略する。
【００２５】
図４に示すように、第２の実施形態のスピーカユニットを備えた置き台としての映像機器設置台５０は、映像機器５を載置するための矩形状の台座１０と、この台座１０の前方及び後方を支持するための支持部材６０、６５と、が備えられる。支持部材６０、６５は中空管形状である。また、支持部材６０、６５は、台座１０の下面、且つ、前後方向に所定の間隔をおいて、平行してあるいは非平行で備えられる。また、支持部材６０、６５は、形状が矩形状に形成されるように所定位置を曲折して形成される。また、台座１０の下面前方方向に備えられる支持部材６０の内部には、第１のポートと第２のポートとに仕切るための仕切壁７０、７０が備えられる。また、第１及び第２のポートにおける支持部材内部の容積は所定の比率で仕切られる。この実施形態ではスピーカユニットを円形とすることにより、支持部材６０の背面には、円形状の孔２２、２２ａが備えられる。孔２２、２２ａは、第１及び第２のポートの孔２２、２２ａから後述する両開口ポート６１、６１ａまでの距離が所定距離（例えば同一距離）となるように設けられている。また、仕切壁７０、７０により２箇所で仕切っているので、互いに多少異なる周波数で共振させることもできる。
【００２６】
また、第１及び第２のポートとして機能する支持部材６０の両端部近傍の前面または背面方向に向かって、音響を放出するための矩形状の開口ポート６１、６１ａが備えられる。この開口ポート６１、６１ａは、第１及び第２のポートの一方の端部近傍に設けられる。一方、孔２２、２２ａには、それぞれ所定の容積からなる音響容積部６３、６３ａを有する接続部材６４、６４ａの一方の端部が接続されている。また、他方の端部はそれぞれスピーカユニット２６、２６と接続される。また、スピーカユニット２６、２６は、音響放出方向に接続部材６４、６４ａが対向するように設けられる。なお、接続部材６４、６４ａは、独立して形成され、支持部材６０と接続されてよいし、支持部材６０と一体形成されていてもよい。
【００２７】
また、開口ポート６１、６１ａは、音響管内の音響質量と音響容積部分として機能する音響容積部６３、６３ａとの音響コンプライアンスとがヘルムホルツ共振を起こす周波数を必要な低音再生限界に設定される位置に設けられる。また、この映像機器設置台５０をパイプ共鳴として利用する場合は、スピーカユニット２６と開口ポート６１、６１ａとの距離を音響管内に起きる管共振に必要な共鳴周波数に合わせた位置に設けられる。
【００２８】
次に、本実施形態の映像機器設置台が音響機器として機能する場合の動作について説明する。
【００２９】
それぞれのスピーカユニット２６、２６の入力端子２９に映像機器５等からオーディオ信号が供給されると、それぞれのスピーカユニット２６から再生音が放出される。放出された再生音は、音響容積部２３及び音響管６０で共鳴を起こし、その共振音は、その開口ポート６１、６１ａからそれぞれ再生音が外部へ放出される。
【００３０】
以上のように、本実施形態の映像機器設置台５０は、多目的置き台の構造体として一般的に使用されている中空形状の支持部材６０、６５を含んで構成されるとともに、一方の支持部材６０にスピーカを取り付け、その支持部材６０を音響管として用いる。また、この支持部材６０（音響容積部２３も含む。）をオーディオ信号に対するヘルムホルツ共振あるいはパイプ共鳴として作用せしめるようにする。また、支持部材６０の内部を第１及び第２のポートに仕切るとともに、接続部材６４、６４ａ、スピーカユニット２６、２６についても第１及び第２ポートに作用するように独立して設けられている。
【００３１】
このため、映像機器設置台５０は、小型で、十分な低域再生機能を備えたスピーカとして機能する。具体的には、支持部材を音響管あるいは音響容積として利用できるので、置き台の容積や重量を増加させることもない。また、ヘルムホルツ共振として支持部材等を作用せしめるようにしたため、特に低域の能率が増強され、音質も著しく向上させることができる。また、複数のスピーカユニット２６、２６を備え、そのスピーカユニット２６から放出される音響を別々の開口ポート６１、６１ａから放出するようにしているのでステレオ再生も可能である。
【００３２】
―第３の実施形態―
図７は第３の実施形態の映像機器設置台を示す外観図、図８は図７の右側面図、図９は図７の背面図である。なお、説明を容易にするために、図７において、正面を前方、背面を後方として説明する。
【００３３】
図７に示すように、第３の実施形態のスピーカユニットを備えた置き台としての映像機器設置台１００は、映像機器５を載置するための矩形状の台座１１０と、この台座１１０から立設する映像機器を支持するための支持部材１２０、１２５と、台座１１０の底面の四隅に設けられた移動用のキャスター１３０、１３０、１３０、１３０と、が備えられる。支持部材１２０、１２５は中空管形状である。また、支持部材１２０、１２５は、台座１１０上に所定の間隔をおいて、平行あるいは非平行に垂設して備えられる。
【００３４】
また、支持部材１２０、１２５の上部前面には、映像機器５が取り外し可能に設置される。また、この支持部材１２０、１２５には、音響を放出するための開口ポート１２１、１２６が備えられる。また、支持部材１２０、１２５上部の側面（この実施形態の場合、隣り合う支持部材１２０、１２５が対向する面）には、孔１２２、１２７が備えられる。この孔１２２、１２７は、孔１２２、１２７から開口ポート１２１、１２６までの距離がそれぞれ所定距離（例えば同一距離）となるように設けられる。また、この孔１２２、１２７には、所定の容積からなる音響容積部１２３、１２８を有する接続部材１２４、１２９の一方の端部が接続されている。また、他方の端部はそれぞれ独立したスピーカユニット２６、２６と接続される。また、スピーカユニット２６、２６は、それぞれ音響放出方向に接続部材１２４、１２９に設けられる。なお、接続部材１２４、１２９は、独立して形成され、支持部材１２０、１２５に接続されてもよいし、支持部材１２０、１２５と一体形成されていてもよい。
【００３５】
また、開口ポート１２１、１２６は、支持部材１２０、１２５において、支持部材１２０、１２５の内部の音響質量と音響容積部１２３、１２８との音響コンプライアンスとがヘルムホルツ共振を起こす周波数を必要な低音再生限界に設定される位置に設けられる。また、この映像機器設置台１００をパイプ共鳴として利用する場合は、開口ポート１２１、１２６は、支持部材１２０、１２５において、スピーカユニット２６、２６と開口ポート１２１、１２６との距離を必要な共鳴周波数に合わせた位置に設けられる。
【００３６】
次に、本実施形態の映像機器設置台が音響機器として機能する場合の動作について説明する。
【００３７】
それぞれのスピーカユニット２６、２６の入力端子２９に映像機器５等からオーディオ信号が供給されると、それぞれのスピーカユニット２６から再生音が放出される。放出された再生音は、音響容積部１２３、１２８及びそれぞれの支持部材１２０、１２５の内部の音響質量で共鳴され、その共鳴された再生音は、その開口ポート１２１、１２６からそれぞれ再生音が外部へ放出される。
【００３８】
以上のように、本実施形態の映像機器設置台１００は、多目的置き台の構造体として一般的に使用されている中空形状の支持部材１２０、１２５を含んで構成されるとともに、この支持部材にスピーカユニット２６を取り付け、その支持部材を音響管として用いる。また、この支持部材１２０、１２５（接続部材１２４、１２９も含む。）をオーディオ信号に対するヘルムホルツ共振あるいはパイプ共鳴として作用せしめるようにする。
【００３９】
このため、映像機器設置台１００は、小型で、十分な低域再生機能を備えたスピーカとして機能する。具体的には、支持部材を音響管あるいは音響容積として利用できるので、置き台の容積や重量を増加させることもない。また、ヘルムホルツ共振として支持部材等を作用せしめるようにしたため、特に低域の能率が増強され、音質も著しく向上させることができる。
【００４０】
以上説明したように、本発明のスピーカを備えた置き台は、図１において、台座１０と、台座１０を支持するための中空形状の支持部材２０、２５と、支持部材２０に取り付けられたスピーカユニット２６と、を備え、支持部材２０を音響管として用いるようにした。
【００４１】
このようにすれば、多目的置き台の構造体として一般的に使用されている中空形状の支持部材を利用して、支持部材にスピーカを取り付けることにより、この支持部材を音響管として利用できるので、置き台の容積や重量を増加させず、なおかつ置き台の強度も低下させないスピーカを備えた置き台を実現することが可能となった。また、ヘルムホルツ共振として中空パイプ等を作用せしめるようにしたため、特に低域の能率が増強され、音質も著しく向上することができる。
【００４２】
また、このスピーカユニット２６は、動電型スピーカや圧電型スピーカを用いている。
【００４３】
このようにすれば、動電型スピーカを用いることにより、ダイナミックレンジの広い音を出力することができる。また、圧電型スピーカを用いることにより、スピーカの占める体積は著しく小さくなるため、設置台に設置する作業が容易になる。また、設置台全体の重量を著しく軽減できる。
【００４４】
また、支持部材２０は、内部の音響質量と共鳴を起こすための音響容積部２３と、放音するための開口ポート２１、２１、を備えるようにした。
【００４５】
このようにすれば、多目的置き台の構造体として一般的に使用されている中空形状の支持部材を音響管として利用できる。
【００４６】
また、支持部材２０は、前記スピーカユニット２６の入力端子２９に入力されるオーディオ信号に対するヘルムホルツ共振又はパイプ共鳴として作用するようにした。
【００４７】
このようにすれば、支持部材がヘルムホルツ共振又はパイプ共鳴として作用することによって、音質がスピーカのみで駆動するよりも著しく向上させることができる。また、ヘルムホルツ共振として中空パイプ等を作用せしめるようにしたため、特に低域の能率が増強され、音質も著しく向上することができる。
【００４８】
また、音響容積部２３と開口ポート２１、２１は、支持部材２０の内部（音響管内）の音響質量と音響容積部分として機能する音響容積部２３との音響コンプライアンスとがヘルムホルツ共振を起こす周波数を必要な低域再生限界に設定し、前記支持部材２０に備えるようにした。
【００４９】
このようにすれば、ヘルムホルツ共振を起こす周波数を、低域再生限界に設定することにより低音の増強が実現できる。
【００５０】
また、スピーカユニット２６と開口ポート２１、２１間の距離は、前記ヘルムホルツ共振又はパイプ共鳴として作用するのに必要な共振周波数に合わせて設定するようにした。
【００５１】
このようにすれば、支持部材がヘルムホルツ共振又はパイプ共鳴として作用するので、音質がスピーカのみで駆動するよりも著しく向上させることができる。また、ヘルムホルツ共振として支持部材等を作用せしめることにより、特に低域の能率が増強され、音質も著しく向上することができる。
【００５２】
また、図７において、スピーカを備えた置き台１００は、この置き台１００と地面とが接する面にスピーカを備えた置き台を移動するためのキャスター１３０、１３０、１３０、１３０を備えるようにした。
【００５３】
このようにすれば、スピーカを備えた置き台を移動することができる。
【００５４】
本発明は以上の実施形態に限定されることなく、種々の形態にて実施してよい。例えば、支持部材の所定位置に備えられる開口ポートは矩形状であっても円形状であっても、その他の形状であっても構わない。また、支持部材や接続部材、スピーカ等の形状もどのようなものであっても構わない。
【００５５】
また、支持部材の端部を閉じて内部に吸音材を装填し密閉箱を構成することにより、支持部材内の容積をスピーカのバックチャンバー（キャビネット）として利用することができる。
【００５６】
本発明は前述した各実施形態によれば、中空管形状の支持部材によりパイプ共振（共鳴）させること、中空管形状の支持部材内の音響質量とこの支持部材とは別の音響容積部によりヘルムホルツの共振を発生させること、中空管形状の支持部材内の容積をスピーカのバックチャンバー（キャビネット）として利用するものである。
【００５７】
以上のように、前述した各実施形態によれば、台座と、台座を支持するための中空形状の支持部材と、支持部材に取り付けられたスピーカユニットと、を備え、支持部材を音響管あるいは音響容積として用いるようにしたので、置き台（例えば映像機器設置台１、５０、１００）の容積や重量を増加させず、容易に低音を増強して放射できる。
【図面の簡単な説明】
【図１】第１の実施形態の映像機器設置台を示す外観図である。
【図２】図１の右側面図である。
【図３】図２の映像機器を除くＡ−Ａ断面図である。
【図４】第２の実施形態の映像機器設置台を示す外観図である。
【図５】図４の右側面図である。
【図６】図５の映像機器を除くＡ−Ａ断面図である。
【図７】第３の実施形態の映像機器設置台を示す外観図である。
【図８】図７の右側面図である。
【図９】図７の背面図である。
【符号の説明】
１０　台座
２０、６０、６５、１２０、１２５　支持部材
２１、６１、６１ａ、１２１、１２６　開口ポート
２３、６３、６３ａ、１２３、１２８　音響容積部
２６　スピーカユニット
３０　キャスター
【図１】
2004048168.tif 000003
【図２】
2004048168.tif 000004
【図３】
2004048168.tif 000005
【図４】
2004048168.tif 000006
【図５】
2004048168.tif 000007
【図６】
2004048168.tif 000008
【図７】
2004048168.tif 000009
【図８】
2004048168.tif 000010
【図９】
2004048168.tif 000011